(57)【要約】【課題】  リーク調査を容易にする漏洩調査装置と、リーク調査で得たデータの処理を簡単化する漏洩調査装置用処理装置とを提供する。【解決手段】  調査対象のリークにより発生する音波を検知する、検出部１０と集音部２０と把持部３０とから成るリーク検知手段と、リーク検知手段が音波を検知したときの位置を調べるＧＰＳセンサ４２と、ＧＰＳセンサ４２が検知した位置をリーク発生の位置のデータとし、このデータを調査付属データとする処理部４４Ｂとを備える。【選択図】  図１
2012078125.tif 000002
【特許請求の範囲】
【請求項１】
調査対象のリークにより発生する音波を検知するリーク検知手段と、
前記リーク検知手段が音波を検知したときの位置を調べる位置検知手段と、
前記位置検知手段が検知した位置をリーク発生の位置のデータとし、このデータを調査付属データとする処理手段と、
を備えることを特徴とする漏洩調査装置。
【請求項２】
前記リーク検知手段が音波を検知したタイミングで、調査対象のリーク箇所を撮影する撮影手段と、
データを記憶する記憶手段と、
を備え、
前記処理手段は、撮影の日付けのような、撮影に関連するデータを調査付属データに含め、前記撮影手段が撮影した画像のデータに対して調査付属データを付加し、調査付属データが付加された画像のデータを前記記憶手段に保存する処理を行う、
ことを特徴とする請求項１に記載の漏洩調査装置。
【請求項３】
前記処理手段は、検知した音波の大きさを基に前記検知手段が算出した調査対象の漏洩量のデータを、前記調査付属データに含むようにする、
ことを特徴とする請求項１または２に記載の漏洩調査装置。
【請求項４】
二次元バーコードの印刷が可能な印刷手段を備え、
前記処理手段は、前記画像のデータと共に保存される調査付属データを前記印刷手段に出力し、
前記印刷手段は、調査付属データが入力されると、この調査付属データを基に二次元バーコードを印刷する、
ことを特徴とする請求項１〜３のいずれか１項に記載の漏洩調査装置。
【請求項５】
請求項１〜４のいずれか１項に記載の漏洩調査装置が接続される漏洩調査装置用処理装置であって、
リーク調査の報告書の書式であって、文字を入力するための入力位置、図表を入力するための入力位置および画像を入力するための入力位置が報告書に必要な数だけ決められている書式を保存する記憶手段と、
前記漏洩調査装置が生成した画像のデータおよび調査付属データを基に、文字の入力位置、図表の入力位置および画像の入力位置に応じたデータを生成し、生成したデータを前記各入力位置に入力して、報告書のデータを生成する処理手段と、
を備えることを特徴とする漏洩調査装置用処理装置。
【発明の詳細な説明】
【技術分野】
【０００１】
この発明は、圧縮空気等のリークを調査する際に用いられる漏洩調査装置および漏洩調査装置用処理装置に関する。
【背景技術】
【０００２】
リーク調査の対象である圧縮空気は、各種の生産現場で使用されている。例えば、コンプレッサで圧縮された空気は、多数のエア配管が接続されて形成されている配管系を流れる。この配管系は生産施設等に配置されて、配管系を流れる圧縮空気は生産施設内の各生産ラインで使用される。通常、エア配管等で圧縮空気のリークがあると、コンプレッサの負担が大きくなり、消費電力量が増える結果となる。このために、リーク調査業務が行われて、圧縮空気のリーク箇所が特定される。
【０００３】
圧縮空気のリーク調査業務では、リークディテクター（例えば、特許文献１参照。）を使用して、リーク箇所および漏洩量を特定している。リークディテクターには各種のものがある。例えば、圧縮空気がエア配管等からリークする際に、リーク箇所で発生する音波を調べるものがある。リーク調査業務の調査者は、リーク調査の際には、報告書に添付して依頼者に対する提案訴求力を向上させるため、別途、デジタルカメラで現地施設の状況を撮影する。そして、調査者は、後日、データを整理した上、報告書様式にして依頼者に提出している。
【先行技術文献】
【特許文献】
【０００４】
【特許文献１】特開２００３−２９４５７３号公報
【発明の概要】
【発明が解決しようとする課題】
【０００５】
圧縮空気のリーク調査には、調査時にリークディテクターとデジタルカメラとを使用することに作業性の低下がある。また、生産設備近くで調査する場合もあり、調査者の安全面を考慮すると、リークディテクターとデジタルカメラとを同一者が同時に使用することが困難である。このために、二人一組でリーク調査が行われることになる。
【０００６】
リークディテクターを用いた圧縮空気のリーク調査には、通常、１回の調査で、１０箇所から４０箇所程度のリーク箇所を発見する場合が多く、その撮影画像は１００枚程度に及ぶ場合もある。また、漏洩量などを記入したリーク箇所札をリーク箇所に付ける作業も必要である。さらに、配管接続部等からのリークのように、リーク箇所は類似していることが多い。このために、撮影後報告書として整理する際に、各リーク箇所を区別して関連付けすることが困難な場合が多い。さらに、リークディテクターを操作する調査者が得たデータと、デジタルカメラを操作する調査者が得たデータの両方があるので、その後に行われる各種データの整理に、時間を要するという問題がある。
【０００７】
この発明の目的は、前記の課題を解決し、リーク調査を容易にする漏洩調査装置と、リーク調査で得たデータの処理を簡単化する漏洩調査装置用処理装置とを提供することにある。
【課題を解決するための手段】
【０００８】
前記の課題を解決するために、請求項１の発明は、調査対象のリークにより発生する音波を検知するリーク検知手段と、前記リーク検知手段が音波を検知したときの位置を調べる位置検知手段と、前記位置検知手段が検知した位置をリーク発生の位置のデータとし、このデータを調査付属データとする処理手段と、を備えることを特徴とする漏洩調査装置である。
【０００９】
請求項１の発明では、リーク検知手段が調査対象のリークにより発生する音波を検知する。このとき、リーク検知手段が音波を検知したときの位置を、位置検知手段が調べる。そして、処理手段は、位置検知手段が検知した位置を調査付属データとする。
【００１０】
請求項２の発明は、請求項１に記載の漏洩調査装置において、前記リーク検知手段が音波を検知したタイミングで、調査対象のリーク箇所を撮影する撮影手段と、データを記憶する記憶手段と、を備え、前記処理手段は、撮影の日付けのような、撮影に関連するデータを調査付属データに含め、前記撮影手段が撮影した画像のデータに対して調査付属データを付加し、調査付属データが付加された画像のデータを前記記憶手段に保存する処理を行う、ことを特徴とする。
【００１１】
請求項３の発明は、請求項１または２に記載の漏洩調査装置において、前記処理手段は、検知した音波の大きさを基に前記検知手段が算出した調査対象の漏洩量のデータを、前記調査付属データに少なくとも含むようにする、ことを特徴とする。
【００１２】
請求項４の発明は、請求項１〜３のいずれか１項に記載の漏洩調査装置において、二次元バーコードの印刷が可能な印刷手段を備え、前記処理手段は、前記画像のデータと共に保存される調査付属データを前記印刷手段に出力し、前記印刷手段は、調査付属データが入力されると、この調査付属データを基に二次元バーコードを印刷する、ことを特徴とする。
【００１３】
請求項５の発明は、請求項１〜４のいずれか１項に記載の漏洩調査装置が接続される漏洩調査装置用処理装置であって、リーク調査の報告書の書式であって、文字を入力するための入力位置、図表を入力するための入力位置および画像を入力するための入力位置が報告書に必要な数だけ決められている書式を保存する記憶手段と、前記漏洩調査装置が生成した画像のデータおよび調査付属データを基に、文字の入力位置、図表の入力位置および画像の入力位置に応じたデータを生成し、生成したデータを前記各入力位置に入力して、報告書のデータを生成する処理手段と、を備えることを特徴とする漏洩調査装置用処理装置である。
【００１４】
請求項５の発明では、記憶手段は、リーク調査の報告書の書式であって、文字を入力するための入力位置、図表を入力するための入力位置および画像を入力するための入力位置が報告書に必要な数だけ決められている書式を保存する。処理手段は、漏洩調査装置が生成した画像のデータおよび調査付属データを基に、文字の入力位置、図表の入力位置および画像の入力位置に応じたデータを生成し、生成したデータを各入力位置に入力して、報告書のデータを生成する。そして、印刷手段は、処理手段が生成した報告書のデータを用いて、報告書を印刷する。
【発明の効果】
【００１５】
請求項１の発明によれば、調査付属データが表すリーク発生の位置を基に、例えば設備配置図中におけるリーク発生の位置を容易に特定することを可能にする。
【００１６】
請求項２の発明によれば、検知手段がリークディテクターとして機能し、撮影手段がカメラとして機能するので、リーク調査の際にデジタルカメラの携帯を不要にして、調査対象のリーク箇所を示す画像のデータを得ることができる。また、この発明によれば、撮影した画像データに対して、調査付属データが付加されるので、後日の画像の整理を容易に行うことを可能にする。
【００１７】
請求項３の発明によれば、画像データに対して漏洩量のデータを付加することができる。
【００１８】
請求項４の発明によれば、漏洩量が二次元バーコードで印刷されるので、リーク箇所札に対する漏洩量の記入を不要にし、また、後日、二次元バーコードを読むだけで、漏洩量を含む調査の内容を把握することが可能である。特に、撮影箇所が暗所である場合には、二次元バーコードから調査の内容を把握できる点は極めて有利である。
【００１９】
請求項５の発明によれば、生成した報告書のデータを用いて印刷を行うことが可能であり、報告書を自動で作成することができる。これにより、リークの調査者が行う報告書作成の負担を軽減することができる。
【図面の簡単な説明】
【００２０】
【図１】実施の形態１による漏洩調査装置の一例を示す側面図である。
【図２】コントローラの構成を示す構成図である。
【図３】カメラ駆動制御の一例を表すフローチャートである。
【図４】保存処理の一例を表すフローチャートである。
【図５】印刷処理の一例を表すフローチャートである。
【図６】リーク箇所札の一例を示す図である。
【図７】実施の形態２による印刷処理の一例を表すフローチャートである。
【図８】実施の形態２で印刷されるシール示す図である。
【図９】実施の形態３によるカメラ駆動制御の一例を表すフローチャートである。
【図１０】実施の形態４による漏洩調査装置用処理装置の一例を示す構成図である。
【図１１】実施の形態４によるデータ整理処理の一例を表すフローチャートである。
【図１２】実施の形態４で使用される設備配置図の一例を示す図である。
【図１３】実施の形態４による報告書作成処理の一例を表すフローチャートである。
【発明を実施するための形態】
【００２１】
次に、この発明の各実施の形態について、圧縮空気の漏洩を調査する場合を例として、図面を用いて詳しく説明する。
【００２２】
（実施の形態１）
この実施の形態による漏洩調査装置を図１に示す。図１の漏洩調査装置は、検出部１０、集音部２０、把持部３０、収納部４０、プリンタ５０およびケーブル６１、６２を備え、検出部１０と集音部２０と把持部３０とにより、圧縮空気の漏れ部分で発生する音波を検知して数値化し、数値化した値の表示等をするリークディテクターが構成されている。
【００２３】
集音部２０は、生産施設に設けられている配管系等から圧縮空気が漏れる際に、漏れ部分で発生する音波の集音を行って、音波を一点に集める。つまり、集音部２０には、開口が設けられ、集音部２０はこの開口を通った音波の集音をしている。
【００２４】
漏洩調査装置の検出部１０は、生産施設に設けられている配管系等から圧縮空気が漏れる際に、リーク箇所で発生する超音波を検知する。検出部１０は、受信部１１と、操作部１２と、ケーブル１３とを備えている。受信部１１は、超音波を受信するセンサ１１Ａを備えている。センサ１１Ａは、集音部２０で集められた音波を受信すると、受信した音波に応じた電気信号である音波信号を生成し、この音波信号を本体１１Ｂに設けられている受信回路１１Ｃに出力する。受信回路１１Ｃは、音波信号の増幅等を行い、増幅後の音波信号の大きさを表す検知信号を生成する。さらに、検知信号には、音波信号の大きさを基に算出した漏洩量が含まれる。受信回路１１Ｃは、ケーブル１３を経て、この検知信号を操作部１２に出力する。この実施の形態では、受信回路１１Ｃの検知信号は、ケーブル６１を経て、収納部４０にも出力されている。
【００２５】
操作部１２は、各種の操作用のボタンや表示用のボタンおよび液晶パネルを備えている。つまり、操作部１２の操作用のボタンは、例えば受信部１１の受信回路１１Ｃの増幅度を設定する。これにより、感度調整が行われる。また、操作部１２の表示用のボタンは、受信回路１１Ｃからの検知信号により、受信した音波の大きさを、棒状に点灯表示する。また、液晶パネルは、検知信号により、漏洩量を表す数値を表示する。
【００２６】
また、漏洩調査装置は、集音部２０からレーザポインタを出力する機能も、リークディテクターの１つの機能として備えている。
【００２７】
漏洩調査装置の収納部４０には、圧縮空気の漏洩を調査する際に用いられる、各種の機能を持つ装置が収められている。この実施の形態では、収納部４０には、漏洩部分を撮影するためのカメラ４１、撮影位置を調べるＧＰＳ（Ｇｌｏｂａｌ  Ｐｏｓｉｔｉｏｎｉｎｇ  Ｓｙｓｔｅｍ）センサ４２、撮影方向を調べる方位センサ４３、および、これらのセンサから受け取ったデータの記憶等を行うコントローラ４４が収められている。
【００２８】
カメラ４１は、集音部２０の開口側に、かつ、収納部４０の外側にレンズ４１Ａを備え、また、把持部３０から突出するように、ボタン４１Ｂを備える構造である。さらに、カメラ４１は、撮影画面を表示するパネル４１Ｃを備える構造である。カメラ４１は、ボタン４１Ｂが短時間で押されたときに画像を撮影する、手動撮影モードになる。また、ボタン４１Ｂが長押し押されると、自動撮影モードになる。自動撮影モードになると、カメラ４１は、撮影要求信号をコントローラ４４に出力する。この後、コントローラ４４からの撮影駆動信号を受け取ると、この信号を受け取った時点で画像を撮影する。カメラ４１は、手動撮影モードまたは自動撮影モードによる撮影を行うと、撮影終了信号をコントローラ４４に出力し、この後、撮影で得た画像データもコントローラ４４に出力する。
【００２９】
ＧＰＳセンサ４２は、ＧＰＳ衛星からの電波を受信し、受信した電波を基に現在の位置データを演算する。この位置データは緯度と経度から成っている。この実施の形態では、ＧＰＳセンサ４２は、カメラ４１が画像を撮影したときのカメラ４１の位置を表す位置データを演算する。つまり、ＧＰＳセンサ４２は、コントローラ４４から撮影終了信号を受け取ると、位置データを取得し、この位置データをコントローラ４４に出力する。
【００３０】
方位センサ４３は、磁気センサを内部に備え、この磁気センサで地磁気を検知して方位データを演算する。この実施の形態では、方位センサ４３は、カメラ４１が画像を撮影したときの、カメラ４１の撮影方向を方位で表す方位データを演算する。つまり、方位センサ４３は、コントローラ４４から撮影終了信号を受け取ると、方位データを取得し、この方位データをコントローラ４４に出力する。
【００３１】
プリンタ５０は、小型の肩掛け用のものであり、コントローラ４４から受け取ったデータを印刷する。つまり、プリンタ５０は、コントローラ４４から後述の２次元コードデータを受け取ると、このデータから２次元コードが表示されたラベルを印刷する。２次元コードは明暗の方形状の点（図示を省略）が縦方向と横方向との２次元に配列されて形成されたパターンであり、こうした明暗のパターンにより、英数字、漢字やカナの組み合わせを表すことができる。二次元コードとしては、カラーを用いたものなど、各種のものがある。
【００３２】
コントローラ４４は圧縮空気のリーク調査に係る制御を行うものであり、コントローラ４４として例えばワンチップＩＣ（集積回路）がある。コントローラ４４は、図２に示すように、インターフェース４４Ａ、４４Ｃと、処理部４４Ｂと、記憶部４４Ｄとを備えている。
【００３３】
インターフェース４４Ａは、カメラ４１、ＧＰＳセンサ４２、方位センサ４３と処理部４４Ｂとを接続するものであり、入出力される信号のレベル変換などを行う。同じように、インターフェース４４Ａは、収納部４０からの検知信号を、レベル変換して処理部４４Ｂに送る。インターフェース４４Ｃは、プリンタ５０と処理部４４Ｂとを接続する。
【００３４】
記憶部４４Ｄは、データやプログラムを記憶する記憶装置である。また、記憶部４４Ｄは、圧縮空気のリーク調査に係る制御に必要とするプログラムを、あらかじめ記憶している。さらに、記憶部４４Ｄは、漏洩調査装置を使用して調査を行う調査者のデータをあらかじめ記憶している。記憶部４４Ｄに対する情報の入力は、例えばパソコンから入力される。この場合、コントローラ４４のインターフェース４４Ｃはパソコンに接続可能である。パソコンから入力されるデータには、調査者データがある。調査者データは、この漏洩調査装置を取り扱う調査者の所属機関を表すデータである。この調査者データとして具体的には、この調査者の氏名や、調査者が所属する「ＸＸ会社  ＸＸ営業所  営業総括課」というような所属機関や、連絡する場合の「連絡先  ０００−００００−００００」というような連絡先がある。
【００３５】
処理部４４Ｂは、記憶部４４Ｄに記憶されているプログラムを実行して、リーク調査に必要な各種の制御を行う。例えば、処理部４４Ｂは撮影駆動信号をカメラ４１に出力する。具体的には、処理部４４Ｂは、カメラ４１から撮影要求信号を受け取ると、カメラ駆動制御を行う。このカメラ駆動制御の一例を図３に示す。処理部４４Ｂは、カメラ駆動制御を開始すると、所定時間例えば１０秒間、検出部１０から検知信号を受け取る（ステップＳ１）。この所定時間は、調査者がリーク箇所付近で漏洩調査装置を上下左右に振らせるために設定されている。この後、処理部４４Ｂは、検出部１０から再度受け取った検知信号が表す、音波の最大レベルを調べる（ステップＳ２）。ステップＳ２が終了すると、処理部４４Ｂは、検出部１０から再再度受け取った検知信号により音波がステップＳ２で調べた最大レベルになった時点で、カメラ４１に対して撮影を指示する撮影駆動信号を生成し（ステップＳ３）、この撮影駆動信号をカメラ４１に出力する（ステップＳ４）。ステップＳ４が終了すると、処理部４４Ｂはカメラ駆動制御を終了する。
【００３６】
こうしたカメラ駆動制御によって、調査者がリーク箇所付近で漏洩調査装置を上下左右に１０秒程振らせる。この後、調査者が再びリーク箇所付近で漏洩調査装置を、撮影する画像がぶれない程度に上下左右に振らせると、受信した音波が最大になる箇所つまりリーク箇所で、カメラ４１は自動的に撮影を行う。これは、最大の音波を検知したタイミングで、カメラ４１が自動的に撮影を行うことになる。これにより、確実にリーク箇所を撮影することができる。
【００３７】
処理部４４Ｂは、カメラ駆動制御に続いて、画像データに各データを付加して保存する保存処理を行う。この保存処理の一例を図４に示す。処理部４４Ｂは、カメラ４１から撮影終了信号を受け取ると、保存処理を開始し、カメラ４１から画像データを受け取る（ステップＳ２１）。ステップＳ２１が終了すると、処理部４４Ｂは、撮影終了信号をＧＰＳセンサ４２と方位センサ４３とに出力し（ステップＳ２２）、この後、ＧＰＳセンサ４２からの位置データと、方位センサ４３からの方位データとを受け取る（ステップＳ２３）。この後、処理部４４Ｂは、本日の日付けと現在の時刻とを調べる（ステップＳ２４）。ステップＳ２４で、処理部４４Ｂは、内部に備えるタイマ（図示を省略）を利用する。さらに、処理部４４Ｂは、リークディテクターを構成する検出部１０から受け取った検知信号から圧縮空気の漏洩量を調べて、漏洩量データを作成する（ステップＳ２５）。処理部４４Ｂは、カメラから受け取った画像データに対して、位置データおよび方位データと、日付データおよび時刻データと、漏洩量データとを付加する（ステップＳ２６）。ステップＳ２６が終了すると、各データが付加された画像データを記憶部４４Ｄに保存する（ステップＳ２７）。ステップＳ２６で画像に付加されるデータは、圧縮空気の漏洩に関する調査付属データである。つまり、各画像データには、調査付属データがそれぞれ関連付けられている。
【００３８】
こうしたカメラ駆動制御と保存処理とが繰り返されて、圧縮空気の漏れ部分を撮影した画像に対して、位置データおよび方位データと、日付データおよび時刻データとから成る調査者データが付加されて保存されていく。
【００３９】
処理部４４Ｂは、保存処理を行う毎に印刷処理をする。印刷処理は、リーク箇所に関する情報を表すリーク箇所タグを印刷するためのものである。保存処理が終了すると、処理部４４Ｂは印刷処理を開始する。この印刷処理の一例を図５に示す。処理部４４Ｂは、印刷処理を開始すると、記憶部４４Ｄに保存されている調査付属データを読み出す（ステップＳ４１）。ステップＳ４１で、処理部４４Ｂは、圧縮空気の漏洩量データと、日付けデータおよび時刻データと、位置データおよび方位データとを調べる。ステップＳ４１が終了すると、処理部４４Ｂは、記憶部４４Ｄから調査者データを読み出す（ステップＳ４２）。なお、ステップＳ４１とステップＳ４２とは入れ替えて行ってもよい。
【００４０】
この後、処理部４４Ｂは、ステップＳ４１とステップＳ４２とで得た各データを、２次元コードを表す２次元コードデータに変換する（ステップＳ４３）。ステップＳ４３が終了すると、処理部４４Ｂは、生成した２次元コードデータをプリンタ５０に出力して（ステップＳ４４）、印刷処理を終了する。
【００４１】
こうした印刷処理により、処理部４４Ｂは、圧縮空気の漏洩量、調査者データ、当日の日付けデータ、調査した時刻データ、位置データ、方位データを表す２次元コードをプリンタ５０に印刷させる。
【００４２】
さらに、この実施の形態では、処理部４４Ｂは、カメラ４１のパネル４１Ｃに位置や方位などの調査付属データの内容を表示する。なお、パネル４１Ｃとは別にデータ表示用の液晶パネルを備えるようにしてもよい。
【００４３】
次に、この実施の形態による漏洩調査装置の動作について説明する。依頼者からリーク調査の依頼を受けると、調査者は漏洩調査装置を携帯して、依頼者の生産設備等に出向く。調査者は、現場でリーク調査業務を開始すると、漏洩調査装置を用いて、配管系のエア配管等における圧縮空気のリーク箇所を調査する。リークがあると、検出部１０の操作部１２が表示するリークの大きさを表す表示等を基に、調査者は、漏洩調査装置をリーク箇所と推定される方向に向け、パネル４１Ｃでモニタされる画像を見て、カメラ４１のボタン４１Ｂを押しながら、漏洩調査装置を上下左右に動かす。このとき、カメラ４１のパネル４１Ｃには調査付属データの内容が表示されるので、例えば表示された位置を基に、調査者は、設備配置図を参照することにより、設備配置図における現在の位置を知ることもできる。なお、設備配置図には、コンプレッサや配管の配置の様子が表示され、かつ、緯度と経度とを表すラインも表示されている。
【００４４】
これにより、カメラ４１は、自動撮影モードになり、撮影要求信号をコントローラ４４に出力する。コントローラ４４は、撮影要求信号を受け取ると、カメラ駆動制御を行い、圧縮空気のリークで発生する音波が最大になった所で、撮影駆動信号をカメラ４１に出力する。カメラ４１は、撮影駆動信号を受け取ると、リーク箇所の撮影を行い、撮影終了信号と画像データとをコントローラ４４に出力する。
【００４５】
コントローラ４４は、撮影終了信号と画像データとを受け取ると、保存処理を行い、画像データに対して、位置データおよび方位データと、日付データおよび時刻データと、漏洩量データとを付加して、記憶部４４Ｄに保存する。保存処理が終了すると、コントローラ４４は印刷処理を行う。これにより、プリンタ５０は、圧縮空気の漏洩量、調査者データ、当日の日付けデータ、調査した時刻データ、位置データ、方位データを表す２次元コードが表示されたラベルを印刷する。
【００４６】
この後、調査者は、例えば図６に示すように、ラベル１１０の必要部分に書き込みをして、２次元コードが表示されたラベル１１０をリーク箇所札１２０に貼り付け、このリーク箇所札１２０をリーク箇所の配管等に括り付ける。後日、調査者や調査の依頼者が携帯電話機の読み取り機能を利用して、２次元コードを読むことができ、リーク箇所の確認等を可能にする。
【００４７】
ところで、調査が終了すると、調査者は、漏洩調査装置をパソコンに接続し、記憶部４４Ｄに記憶されている画像データを参照することができる。このとき、画像データには、位置データおよび方位データと、日付データおよび時刻データと、漏洩量データとが付加されているので、これらのデータを基に調査者は撮影時の様子を簡単に整理することができる。
【００４８】
こうして、この実施の形態によれば、リークディテクターの機能とカメラ機能とを持つ漏洩調査装置を使用することにより、デジタルカメラの携帯を不要にし、しかも、最大の音波を検知したタイミングで、圧縮空気のリーク箇所を示す画像データを得ることができる。
【００４９】
また、この実施の形態によれば、撮影した画像データに対して、位置データおよび方位データと、日付データおよび時刻データと、漏洩量データとを付加することができる。つまり、位置データおよび方位データで特定される撮影位置と画像とが関連付けられているので、画像を含む後日のデータ整理を容易に行うことを可能にする。また、画像データの位置データと方位データとにより、施設内の配管図を参照して、リーク箇所の特定を容易に行うことを可能にする。
【００５０】
また、この実施の形態によれば、漏洩量等を２次元コードで表したラベルを現場で印刷し、このラベルをリーク箇所札に貼り付けるだけで、現場における漏洩量の記入を省くことができる。これにより、調査者の作業の効率化を可能にする。また、２次元コードを読むだけで、調査の内容を把握することが可能である。特に、撮影箇所が暗所である場合には、２次元コードから調査の内容を把握できる点は極めて有効である。
【００５１】
（実施の形態２）
先の実施の形態では、２次元コードが表示されたラベル１１０をプリンタ５０が印刷したが、この実施の形態では、リーク箇所札１２０をシール形式にしてプリンタ５０が印刷するようにしている。なお、この実施の形態では、先に説明した実施の形態１と同一もしくは同一と見なされる構成要素には、それと同じ参照符号を付けて、その説明を省略する。
【００５２】
この実施の形態では、処理部４４Ｂは、図７に示す印刷処理を行う。この印刷処理で、ステップＳ４１〜ステップＳ４３は実施の形態１と同様である。ステップＳ４３が終了すると、処理部４４Ｂは、ステップＳ４２で読み出した、調査者データをテキストデータに変換する（ステップＳ４４Ａ）。つまり、処理部４４Ｂは、ステップＳ４７で、調査者データを利用して、この調査者の氏名、調査者が所属する「ＸＸ会社  ＸＸ営業所  営業総括課」と言うような所属機関、連絡する場合の「連絡先  ０００−００００−００００」というような連絡先を表すテキストデータ作成する。この後、処理部４４Ｂは、ステップＳ４３で作成した２次元コードデータと、ステップＳ４４Ａで作成したテキストデータとを、シールの所定場所に振り分けてシール用データを作成する（ステップＳ４４Ｂ）。ステップＳ４４Ｂが終了すると、処理部４４Ｂは、シール用データをプリンタ５０に出力する（ステップＳ４４Ｃ）。
【００５３】
こうした印刷処理により、プリンタ５０は、シール用データを基に、例えば図８に示すように、２次元コード１４１を印刷すると共に、テキストデータに対応する調査者情報１４２を印刷したシール１４０を作成する。なお、調査者は、このシール１４０を直接、リーク箇所の配管等に貼り付けることになる。
【００５４】
こうして、この実施の形態によれば、シール１４０には手書き部分が無いので、調査者の負担を軽減し、作業時間の短縮を可能にする。
【００５５】
（実施の形態３）
この実施の形態では、実施の形態１のカメラ制御を次のようにしている。なお、この実施の形態では、先に説明した実施の形態１と同一もしくは同一と見なされる構成要素には、それと同じ参照符号を付けて、その説明を省略する。
【００５６】
この実施の形態では、処理部４４Ｂは、図９に示すカメラ駆動制御を行う。実施の形態１と同様のステップＳ１が終了すると、処理部４４Ｂは、検知信号が表す音波のレベルを調べる（ステップＳ２Ａ）。この後、処理部４４Ｂは、音波のレベルが所定レベル以上になった時点で、カメラ４１に対して撮影を指示する撮影駆動信号を生成する（ステップＳ３Ａ）。
【００５７】
この後、処理部４４Ｂは、実施の形態１と同様のステップＳ４を行う。
【００５８】
この実施の形態によれば、所定レベル以上の音を発生するリーク箇所で、カメラ４１は自動的に撮影を行うことができる。これは、音波を検知したタイミングで、カメラ４１が自動的に撮影を行うことになる。これにより、確実にリーク箇所を撮影することができる。
【００５９】
（実施の形態４）
この実施の形態による漏洩調査装置用処理装置を図１０に示す。図１０の漏洩調査装置用処理装置８０には、実施の形態１〜実施の形態３で説明した漏洩調査装置の接続が可能である。漏洩調査装置用処理装置８０としては、例えばパソコンがある。漏洩調査装置用処理装置８０は、インターフェース８１、処理部８２、記憶部８３、入力部８４および表示部８５を備えている。
【００６０】
漏洩調査装置用処理装置８０のインターフェース８１は、コントローラ４４と処理部８２とのデータ伝送を可能にする。入力部８４は、キーボードやマウス等のような、使用者である調査者の指示や、画像などを入力するための装置である。表示部８５は、液晶パネルのような、データや画像を表示するための装置である。
【００６１】
記憶部８３は、データやプログラムを記憶する記憶装置である。記憶部８３は、入力部８４の操作により、調査を依頼した依頼者データをあらかじめ記憶している。依頼者データには、依頼者の名称や担当者など各種のデータが含まれている。また、記憶部８３は、調査エリアの設備配置図データをあらかじめ記憶している。設備配置図データはコンプレッサや配管の配置を表す設備配置図の画像データである。設備配置図はコンプレッサや配管の実際の配置を縮尺して描いた図面である。この設備配置図データには、設備配置図の縮尺を表す縮尺データが付加されている。また、記憶部８３は、調査者がリーク調査を終了した後で作成する報告書の書式をあらかじめ記憶している。この報告書の書式には各種の入力位置が設けられている。入力位置には、調査の日付けや調査した設備などを入力する文字の入力位置と、リーク状況の一覧表などを入力する表の入力位置と、リーク箇所の写真などを入力する画像の入力位置とがある。報告書の各入力位置は、報告書の書式に応じて必要数だけ随所に設けられ、また、報告書の書式変更に応じて自在にアレンジすることが可能である。
【００６２】
処理部８２は、記憶部８３に記憶されているプログラムを実行する。処理部８２が実行するプログラムにはデータ整理処理がある。このデータ整理処理を図１１に示す。処理部８２は入力部８４から処理開始の指示を受け取ると、データ整理処理を行う。処理部８２はデータ整理処理を開始すると、コントローラ４４から、現場で得た画像データを読み出して（ステップＳ６１）、すべての画像データを記憶部８３に保存する（ステップＳ６２）。このときには、各画像データに付加されている調査付属データも記憶部８３にそれぞれ保存される。ステップＳ６２が終了すると、処理部８２は、記憶部８３に保存した中から最初の画像データを取り出す（ステップＳ６３）。ステップＳ６３が終了すると、処理部８２は、この画像データに付加されている調査付属データから、位置データと方位データとを調べる（ステップＳ６４）。
【００６３】
ステップＳ６４が終了すると、処理部８２は、記憶部８３にあらかじめ記憶している設備配置図データを参照し、画像データの位置データと方位データとを基に、設備配置図データにおけるこの画像データの撮影位置を特定する（ステップＳ６５）。このステップＳ６５で、処理部８２は、例えば図１２に示すように撮影位置を特定する。図１２では、設備配置図データが示す設備配置図は、○○ライン２１０〜○○ライン２４０に対して、配管系２５０により、コンプレッサ２６０、２７０からの圧縮空気が供給されている。設備配置図の縮尺は、設備配置図データに付加されている縮尺データから得られる。そして、設備配置図には、基準点として点Ａがあらかじめ設定され、この基準点の位置データが付加されている。処理部８２は、基準点の位置データの緯度および経度と、画像データに付加されている位置データの緯度および経度とから点Ａを基準とした、画像データの撮影位置の距離ｒと角度θを算出し、実際の設備配置における画像データの撮影位置を調べる。この後、処理部８２は、縮尺データが示す縮尺により、設備配置図における画像データの撮影位置Ｂを特定する。さらに、この位置における撮影方向は、画像データに付加されている方位データから得ることができる。この方位データにより、リーク箇所が指示される。
【００６４】
ステップＳ６５が終了すると、処理部８２は撮影位置Ｂと撮影方向とを設備配置図の中に取り込んだリーク箇所配置図データを生成する（ステップＳ６６）。ステップＳ６６により、設備配置図の中に撮影位置Ｂがプロットされて、ここで撮影された画像データが撮影位置Ｂでの画像として関連付けされる。ステップＳ６６が終了すると、処理部８２は、次ぎの未処理の画像データが記憶部８３に保存されているかどうかを調べる（ステップＳ６７）。未処理の画像データがあれば、処理部８２は、次ぎの画像データを選択し（ステップＳ６８）、処理をステップＳ６４に戻す。ステップＳ６７で未処理の画像データが無ければ、処理部８２は、ステップＳ６６で生成した設備配置図データを記憶部８３に保存し（ステップＳ６９）、データ整理処理を終了する。
【００６５】
データ整理処理が終了すると、処理部８２は報告書作成処理を行う。この報告書作成処理を図１３に示す。処理部８２は報告書作成処理を開始すると、報告書の書式を記憶部８３から読み出す（ステップＳ８１）。この後、処理部８２は、報告書の最初ページにある入力位置を選択し（ステップＳ８２）、入力位置の書式を判別する（ステップＳ８３）。
【００６６】
入力位置が文字である場合、処理部８２は、記憶部８３に保存されている依頼者データ、調査者データ、調査付属データを参照して、必要な事項のデータを作成する（ステップＳ８４）。この後、処理部８２は、作成した必要事項のデータを報告書のデータに入力する（ステップＳ８５）。入力位置が図表である場合、処理部８２は、記憶部８３に保存されている調査付属データやリーク箇所配置図データを参照して、図や表に必要なデータを作成する（ステップＳ８６）。この後、処理部８２は、作成したデータを報告書に入力する（ステップＳ８７）。入力位置が写真である場合、処理部８２は、記憶部８３に保存されている画像データを参照して、必要な画像のデータを抽出する（ステップＳ８８）。この後、処理部８２は、抽出した写真を報告書に入力する（ステップＳ８９）。これらのステップにより、例えば所定の順路で設備を巡った際に、検知したリーク箇所の写真が順に報告書に取り込まれる。また、そのときの漏洩量などの情報も写真周辺に記録される。こうした書式は自在である。
【００６７】
ステップＳ８５、ステップＳ８７、ステップＳ８９のいずれかが終了すると、処理部８２は報告書に次ぎの入力位置があるかどうかを調べる（ステップＳ９０）。次ぎの入力位置があると、処理部８２はこの入力位置を選択して（ステップＳ９１）、処理をステップＳ８３に戻す。次ぎの入力位置が無ければ、処理部８２は作成した報告書データを記憶部８３に保存して、報告書作成処理を終了する（ステップＳ９２）。
【００６８】
この後、調査者は、必要に応じて、記憶部８３から報告書データを読み出し、この報告書データをプリンタ（図示を省略）に出力する。プリンタは、報告書データにより報告書を印刷する。これにより、調査者は依頼者に報告書を提出することができる。また、報告書の印刷をしなくても、報告書データを依頼者に提供することも可能である。
【００６９】
こうして、この実施の形態によれば、漏洩調査装置が作成した画像データや、後日、パソコンで作成したリーク箇所配置図データ等を利用して、圧縮空気の漏洩調査の報告書を自動で作成することができる。これにより、調査者の負担を軽減することができる。また、記憶部８３に記憶されている報告書データが表す報告書の書式も必要に応じて変更可能であるので、依頼者に応じた報告書を作成することを可能にする。
【００７０】
なお、各実施の形態では、パソコンのような処理装置を用いて、データ整理処理と報告書作成処理とを行ったが、漏洩調査装置が、データ整理処理、または、データ整理処理と報告書作成処理との両方を行うようにすることも可能である。
【００７１】
さらに、各実施の形態では、２次元コードを用いて、調査付属データを表示したが、２次元コードの他にもＩＣタグを用いることも可能である。この場合には、専用の書き込み装置を用いて、調査付属データをＩＣタグに書き込み、また、読み取り装置を使用して、ＩＣタグに記憶されている調査付属データを読み取ることになる。
【産業上の利用可能性】
【００７２】
この発明は、圧縮空気のリーク調査の他にも、調査対象として各種液体のリーク調査や、家庭用燃料として供給されるガスのリーク調査にも利用可能である。
【符号の説明】
【００７３】
１０  検出部（リーク検知手段）
２０  集音部（リーク検知手段）
３０  把持部（リーク検知手段）
４０  収納部
４１  カメラ（撮影手段）
４２  ＧＰＳセンサ（位置検知手段）
４３  方位センサ
４４  コントローラ
４４Ａ、４４Ｃ  インターフェース
４４Ｂ  処理部（処理手段）
４４Ｄ  記憶部（記憶手段）
５０  プリンタ
８０  処理装置
８１  インターフェース
８２  処理部
８３  記憶部
８４  入力部
８５  表示部
【図１】
2012078125.tif 000003
【図２】
2012078125.tif 000004
【図３】
2012078125.tif 000005
【図４】
2012078125.tif 000006
【図５】
2012078125.tif 000007
【図６】
2012078125.tif 000008
【図７】
2012078125.tif 000009
【図８】
2012078125.tif 000010
【図９】
2012078125.tif 000011
【図１０】
2012078125.tif 000012
【図１１】
2012078125.tif 000013
【図１２】
2012078125.tif 000014
【図１３】
2012078125.tif 000015